(57)【要約】【課題】シールド性を向上でき、しかも、シールドケースに対する取付性をも向上できるシールド構造及びこの製造方法を提供する。【解決手段】本発明に係るシールド部材１は、シールドケース内の機器と接続される電線を包囲する可撓性の本体部１１と、本体部１１のシールドケース側の端末部に一体に設けられ、シールドケースの壁面に対向するフランジ部１２とを備える。フランジ部１２は、本体部１１よりも剛性が高い。【選択図】図1
2014165484.tif 000002
【特許請求の範囲】
【請求項１】
シールドケース内の機器と接続される電線を包囲する可撓性の本体部と、前記本体部の前記シールドケース側の端末部に一体に設けられ、前記シールドケースの壁面に対向するフランジ部とを備え、
前記フランジ部は、前記本体部よりも剛性が高いことを特徴とするシールド部材。
【請求項２】
請求項１に記載のシールド部材であって、
前記フランジ部は、前記本体部の前記シールドケース側の端末部が広げられて複数層に折り返されることによって形成されることを特徴とするシールド部材。
【請求項３】
請求項１又は請求項２に記載のシールド部材であって、
前記フランジ部は、段差状の複数の面を有することを特徴とするシールド部材。
【請求項４】
シールドケース内の機器と接続される電線を包囲する可撓性の本体部の前記シールドケース側の端末部に、前記シールドケースの壁面に対向するフランジ部を一体に加工し、前記フランジ部の剛性を前記本体部よりも高くすることを特徴とするシールド部材製造方法。
【発明の詳細な説明】
【技術分野】
【０００１】
本発明は、シールド部材及びこの製造方法に関する。
【背景技術】
【０００２】
従来から、電気自動車（ＥＶ）やハイブリッド電気自動車（ＨＥＶ）等に搭載される金属製のシールドケースに、メッシュ状に編んだ筒状の編組線などのシールド部材を取り付けるシールド構造について、様々な提案がなされている。この種のシールド構造の第１従来例及び第２従来例（例えば、特許文献１参照）について、図５及び図６を参照しながら説明する。
【０００３】
第１従来例に係るシールド構造１００としては、図５に示すように、複数本の電線（不図示）を一括して包囲するシールド部材１１０の端末を、加締用リング１３０によってシールドシェル１２０に取り付けられた構造である。
【０００４】
第２従来例に係るシールド構造２００としては、図６に示すように、複数本の電線（不図示）を一括して包囲するシールド部材２１０の端末を、シールドシェル２２０の内部シェル２２１と外部シェル２２２とによって挟持する構造である。
【０００５】
このような第１従来例や第２従来例によれば、シールド部材１１０，１２０がシールドシェル１２０、２２０に対して電気的に接続され、シールドケース（不図示）に対するシールド性を確保している。
【先行技術文献】
【特許文献】
【０００６】
【特許文献１】特開２００２−３２９５５７号公報
【発明の概要】
【発明が解決しようとする課題】
【０００７】
しかしながら、上述した第１従来例や第２従来例では、シールドケース（不図示）に各シールド構造１００，２００を取り付ける前に、シールドシェル１２０，２２０にシールド部材１１０，２１０の端末を取り付ける必要がある。
【０００８】
この際、シールド部材１１０，１２０の形状に合うようにシールド部材１１０，２１０の端末を加工する（例えば、広げたりする）必要があった。このため、シールド部材１１０，２１０のメッシュ状の編組線等の隙間にバラツキが生じ（隙間が不均一となり）、シールド性が悪化するという問題があった。
【０００９】
そこで、本発明は、上述した課題を解決すべくなされたものであり、シールド性を向上でき、しかも、シールドケースに対する取付性をも向上できるシールド部材及びこの製造方法の提供を目的とする。
【課題を解決するための手段】
【００１０】
上述した課題を解決するため、本発明は、次のような特徴を有している。まず、本発明の第１の特徴は、シールドケース内の機器と接続される電線を包囲する可撓性の本体部と、前記本体部の前記シールドケース側の端末部に一体に設けられ、前記シールドケースの壁面に対向するフランジ部とを備え、前記フランジ部は、前記本体部よりも剛性が高いことを要旨とする。
【００１１】
その他の特徴としては、前記フランジ部は、前記本体部の前記シールドケース側の端末部が広げられて複数層に折り返されることによって形成されるものであってもよい。
【００１２】
その他の特徴としては、前記フランジ部は、段差状の複数の面を有するものであってもよい。
【００１３】
その他の特徴としては、シールドケース内の機器と接続される電線を包囲する可撓性の本体部の前記シールドケース側の端末部に、前記シールドケースの壁面に対向するフランジ部を一体に加工し、前記フランジ部の剛性を前記本体部よりも高くするものであってもよい。
【発明の効果】
【００１４】
本発明の特徴によれば、フランジ部が本体部のシールドケース側の端末部に一体に設けられ、本体部よりも剛性が高い。これにより、シールド部材の端末部にシールドシェルを取り付ける過程で、シールド部材の端末部を加工しなくて済むため、シールド部材のメッシュ状の編組線の隙間にバラツキが生じにくく（隙間が均一となり）、シールド性を向上できる。その上、従来のようにシールド部材とシールドシェルとが個別の場合と比較して、シールド部材の端末部にシールドシェルを取り付ける過程が不要となるとともに、フランジ部の形状が維持されるため、シールドケースにシールド部材を直接取り付けるのみで済み、シールドケースに対する取付性をも向上できる。
【図面の簡単な説明】
【００１５】
【図１】図１は、本実施形態に係るシールド部材を示す組立斜視図である。
【図２】図２は、本実施形態に係るシールド部材を示す分解斜視図である。
【図３】図３（ａ）及び図３（ｂ）は、本実施形態に係るシールド部材の製造方法を示す図である（その１）。
【図４】図４は、本実施形態に係るシールド部材の製造方法を示す図である（その２）。
【図５】図５は、第１従来例に係るシールド構造を示す斜視図である。
【図６】図６は、第２従来例に係るシールド構造を示す断面図である。
【発明を実施するための形態】
【００１６】
次に、本発明に係るシールド部材及びこの製造方法の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１７】
（シールド部材）
まず、本実施形態に係るシールド部材１について、図面を参照しながら説明する。図１は、本実施形態に係るシールド部材１を示す組立斜視図である。図２は、本実施形態に係るシールド部材１を示す分解斜視図である。なお、シールド部材１は、電気自動車（ＥＶ）やハイブリッド電気自動車（ＨＥＶ）等に搭載される金属製のシールドケースに用いられるものとする。
【００１８】
図１及び図２に示すように、シールド部材１は、複数本の電線（不図示）を一括して包囲するとともに、シールドケース（不図示）に直接取り付けられるものである。このシールド部材１は、金属細線をメッシュ状に編んだ編組線によって形成されている。シールド部材１は、複数本の電線（不図示）の長手方向に沿った本体部１１と、本体部１１のシールドケース側に設けられた端末部に一体に設けられ、シールドケースの壁面（不図示）に対向するフランジ部１２とを備えている。
【００１９】
フランジ部１２は、本体部１１よりも剛性が高くなっている。フランジ部１２は、本体部１１の端末部が広げられて複数層に折り返されることによって形成されている。このフランジ部１２は、本体部１１の略直交方向に沿った面及び本体部１１の略長手方向に沿った面とが交互に配置された段差状の複数の面を有している。
【００２０】
具体的には、フランジ部１２は、第１の面１２Ａと、第２の面１２Ｂと、第３の面１２Ｃとによって構成されている。これらの第１の面１２Ａと第２の面１２Ｂとの間には、段差面１２Ｄが設けられている。また、第２の面１２Ｂと第３の面１２Ｃとの間には、段差面１２Ｅが設けられている。第２の面１２Ｂには、ボルトやブラインドリベットなどの固定部材３０が挿入される挿入孔１３が形成されている。この固定部材３０により、シールド部材１がシールドケース（不図示）に直接固定される。
【００２１】
（シールド部材製造方法）
次に、上述したシールド部材１を製造する方法について、図面を参照しながら説明する。図３及び図４は、本実施形態に係るシールド部材１の製造方法を示す図である。
【００２２】
まず、図３（ａ）に示した加工前の略筒状のシールド部材１の端末（本体部１１の端末）を、図３（ｂ）に示すように、複数層に折り返して広げる。このとき、メッシュ状の編組線に隙間が生じないように複数層に折り返すことが好ましい。なお、本体部１１の端末を広げた後に、複数層に折り返してもよい。
【００２３】
次いで、図４に示すように、広げられた端末部に、プレス機５０を用いてプレスすることで、従来のシールドシェルに対応するフランジ部１２を一体に加工し、フランジ部１２の剛性を本体部１１よりも高くしている。ここで、プレス機５０は、上側金型５０Ａと下側金型５０Ｂとを備えている。これらの上側金型５０Ａ及び下側金型５０Ｂには、フランジ部１２の第１の面１２Ａ、第２の面１２Ｂ、第３の面１２Ｃ、段差面１２Ｄ及び段差面１２Ｅをそれぞれ形成するための段部５１Ａ，５１Ｂが設けられている。
【００２４】
（作用・効果）
以上説明した実施形態では、フランジ部１２が本体部１１のシールドケース側の端末部に一体に設けられ、本体部１１よりも剛性が高い。これにより、シールド部材１のフランジ部１２にシールドシェルを取り付ける過程で、シールド部材１のフランジ部１２を加工しなくて済むため、シールド部材１のメッシュ状の編組線の隙間にバラツキが生じにくく（隙間が均一となり）、シールド性を向上できる。その上、従来のようにシールド部材１とシールドシェルとが個別の場合と比較して、シールド部材１のフランジ部１２にシールドシェルを取り付ける過程が不要となるとともに、フランジ部１２の形状が維持されるため、シールドケース（不図示）にシールド部材１を直接取り付けるのみで済み、シールドケースに対する取付性をも向上できる。
【００２５】
特に、従来のように、シールド部材１のフランジ部１２を外周から押圧（加締めや挟持）する必要がなくなるため、シールド部材１のフランジ部１２の接続抵抗のバラツキを抑制でき、シールドケースに対するシールド部材１の取り付けが安定してシールド性が向上する。
【００２６】
さらに、フランジ部１２が複数層によって形成されることによって、フランジ部１２でメッシュ状の編組線における各編組線の隙間が形成され難くなる。
【００２７】
加えて、フランジ部１２の形状をシールドケースの取付部の形状に対応する形状とするだけでシールド性を向上できるので、シールド部材１のフランジ部１２とシールドケースとの接続部分をさらに他のシェル部材等で被覆する必要がなくなり、部品点数の増大をも防止できる。
【００２８】
実施形態では、フランジ部１２がプレス機５０によりプレスされることにより形成されるため、フランジ部１２のメッシュ状の編組線の隙間にバラツキが生じにくくなることは勿論、フランジ部１２の剛性が増大してフランジ部１２の形状が維持される。
【００２９】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００３０】
例えば、本発明の実施形態は、次のように変更することができる。具体的には、シールド部材１は、電気自動車（ＥＶ）やハイブリッド電気自動車（ＨＥＶ）等に搭載される金属製のシールドケースに用いられるものとして説明したが、これに限定されるものではなく、自動車以外に用いられてもよい。
【００３１】
また、シールド部材１は、編組線によって形成されるものとして説明したが、これに限定されるものではなく、金属箔やメッシュテープなどの導電性部材や、スポンジ状や薄肉状などの様々な形状の導電性部材など、シールド性を有する材料によって形成されていればよい。
【００３２】
また、フランジ部１２は、本体部１１の端末部が広げられて複数層に折り返されることによって形成されるものとして説明したが、これに限定されるものではなく、複数層に折り返されていなくてもよい。例えば、シールド部材１がスポンジ状の形状の場合、プレス機５０によるプレスによってフランジ部１２が本体部１１よりも剛性が高くなればよい。
【００３３】
さらに、フランジ部１２の形状については、必ずしも実施形態で説明したものに限らず、シールドケースの取付部の形状等に対応していればよい。
【００３４】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００３５】
１…シールド部材
１１…本体部
１２…フランジ部
１２Ａ〜１２Ｅ…第１〜第３面及び段差面
５０…プレス機
【図１】
2014165484.tif 000003
【図２】
2014165484.tif 000004
【図３】
2014165484.tif 000005
【図４】
2014165484.tif 000006
【図５】
2014165484.tif 000007
【図６】
2014165484.tif 000008